(57)【要約】【課題】スピーカの着脱作業を容易にする。【解決手段】後側棚板３４の取り付け面３８には、ネジ２３を中心に係合部２０ｂが回動自在なように変位部材２０が取り付けられ、変位部材２０はロック状態とロック解除状態とに姿勢を変化させることができる。ロック解除状態では、変位部材２０は、全体が取り付け面３８の範囲に収まり、底面視においてフランジ部１２に干渉することがない。ロック状態では、フランジ当接面３９に当接しているフランジ部１２の下面１２ａに当接し、フランジ部１２を仮支持する。フランジ部１２が仮支持された状態では、ウーハＷｏは後側棚板３４から抜け落ちることがない。この状態のまま、フランジ部１２の締結穴１４を介して取り付け面３８のネジ穴４０にネジ１５を下側から螺合することで、ウーハＷｏが後側棚板３４に固定される。【選択図】図３
2010154240.tif 000002
【特許請求の範囲】
【請求項１】
スピーカ取り付け部に設けられた表側に開口した取り付け穴に、フランジ部を有するスピーカが表側から挿入されて表側を向くように配設されるスピーカ保持構造であって、
係合部を有し、少なくとも該係合部が水平方向に沿って変位可能なように、前記スピーカ取り付け部に取り付けられた変位部材を有し、
前記スピーカ取り付け部における前記取り付け穴に前記スピーカが挿入され且つ前記取り付け穴の周りの表側面である当接面に前記スピーカの前記フランジ部が当接した状態で、前記変位部材は、底面視において、前記係合部が前記スピーカの前記フランジ部に対して干渉する姿勢と前記変位部材のいずれの部分も前記スピーカに対して干渉しない姿勢とに変位可能であり、
前記スピーカ取り付け部の前記当接面に前記スピーカの前記フランジ部が当接した状態で、前記変位部材の前記係合部が前記フランジ部に対して干渉する姿勢にされると、前記フランジ部が前記係合部によって表側から支持されることで、前記スピーカが前記取り付け穴から抜け落ちないように構成され、さらに、この状態のまま、締結具にて前記フランジ部を前記当接面に対して表側から締結固定することが可能なように構成されたことを特徴とするスピーカ保持構造。
【請求項２】
前記締結具によって、前記係合部が、前記フランジ部と共締め状態で前記当接面に対して締結固定されることを特徴とする請求項１記載のスピーカ保持構造。
【請求項３】
前記変位部材は、前記スピーカ取り付け部における、前記当接面に対して表側に一段下がった取り付け面に取り付けられ、該取り付け面は、前記当接面に当接している前記スピーカの前記フランジ部の表側面と面一であることを特徴とする請求項１または２記載のスピーカ保持構造。
【請求項４】
スピーカ取り付け部に設けられた表側に開口した取り付け穴にスピーカが表側から挿入されて表側を向くように配設されるスピーカ保持構造であって、
係合部を有し、少なくとも該係合部が水平方向に沿って変位可能なように、前記スピーカ取り付け部に取り付けられた変位部材を有し、
前記スピーカ取り付け部における前記取り付け穴に前記スピーカが挿入され且つ前記スピーカ取り付け部の当接部に前記スピーカの被当接部が表側から当接した状態で、前記変位部材は、底面視において、前記係合部が前記スピーカに対して干渉する姿勢と前記変位部材のいずれの部分も前記スピーカに対して干渉しない姿勢とに変位可能であり、
前記スピーカ取り付け部の前記当接部に前記スピーカの前記被当接部が当接した状態で、前記変位部材の前記係合部が前記スピーカに対して干渉する姿勢にされると、前記スピーカが前記係合部によって表側から支持されることで、前記スピーカが前記取り付け穴から抜け落ちないように構成され、さらに、この状態のまま、付勢機構によって前記変位部材の少なくとも前記係合部を前記上方に付勢する状態を維持することで、前記スピーカが前記スピーカ取り付け部に対して固定状態となるように構成されたことを特徴とするスピーカ保持構造。
【請求項５】
前記付勢機構は、前記変位部材自身に備えられ、前記変位部材を前記干渉しない姿勢から前記干渉する姿勢へと変位させることで、前記スピーカが前記係合部によって上方に自動的に押圧されることを特徴とする請求項４記載のスピーカ保持構造。
【請求項６】
放音穴を有するスピーカカバーが、前記スピーカ及び前記変位部材を表側から覆うように、前記スピーカ取り付け部に取り付け可能に構成されたことを特徴とする請求項１〜５のいずれか１項に記載のスピーカ保持構造。
【発明の詳細な説明】
【技術分野】
【０００１】
本発明は、電子機器のスピーカ取り付け部の取り付け穴にスピーカが主に下側から挿入されて主に下方を向くように配設されるスピーカ保持構造に関する。
【背景技術】
【０００２】
従来、電子鍵盤楽器等の電子機器において、音響を発生させるためのスピーカが設けられる。下記特許文献１に示すように、電子機器によっては、スピーカが下方を向いて配設されるものもある。
【０００３】
装置本体やスピーカボックス等におけるスピーカ取り付け部に、スピーカを、下方に向けて配設する場合、スピーカを、スピーカ取り付け部の上側から取り付ける構成と、下側から取り付ける構成とが考えられる。
【特許文献１】実用新案登録第２５６０３１３号公報
【発明の開示】
【発明が解決しようとする課題】
【０００４】
下記特許文献１では、スピーカを、スピーカ取り付け部である棚板の上側から取り付けており、電子楽器本体の内側からスピーカが取り付けられることになる。そのため、メンテナンス時等にスピーカを取り外す際に、スピーカに関係のない内装部品まで取り外す必要があり、スピーカの取り外し作業が容易でない。
【０００５】
一方、スピーカを下側から取り付ける場合、一般に、スピーカ取り付け部の取り付け穴にスピーカを下側から挿入し、ネジ等の締結具でスピーカのフランジ部等の部分をスピーカ取り付け部に対して締結する構成となる。しかしながら、締結具の締結／締結解除の作業を行う間、スピーカをスピーカ取り付け部の取り付け穴に挿入した状態で、手等で支える必要があるため、スピーカの着脱作業が容易でない。
【０００６】
本発明は上記従来技術の問題を解決するためになされたものであり、その目的は、スピーカの着脱作業を容易にすることができるスピーカ保持構造を提供することにある。
【課題を解決するための手段】
【０００７】
上記目的を達成するために本発明の請求項１のスピーカ保持構造は、スピーカ取り付け部（３４）に設けられた表側に開口した取り付け穴（５４）に、フランジ部（１２）を有するスピーカ（Ｗｏ）が表側から挿入されて表側を向くように配設されるスピーカ保持構造であって、係合部（２０ｂ）を有し、少なくとも該係合部が水平方向に沿って変位可能なように、前記スピーカ取り付け部に取り付けられた変位部材（２０）を有し、前記スピーカ取り付け部における前記取り付け穴に前記スピーカが挿入され且つ前記取り付け穴の周りの表側面である当接面（３９）に前記スピーカの前記フランジ部が当接した状態で、前記変位部材は、底面視において、前記係合部が前記スピーカの前記フランジ部に対して干渉する姿勢と前記変位部材のいずれの部分も前記スピーカに対して干渉しない姿勢とに変位可能であり、前記スピーカ取り付け部の前記当接面に前記スピーカの前記フランジ部が当接した状態で、前記変位部材の前記係合部が前記フランジ部に対して干渉する姿勢にされると、前記フランジ部が前記係合部によって表側から支持されることで、前記スピーカが前記取り付け穴から抜け落ちないように構成され、さらに、この状態のまま、締結具（１５）にて前記フランジ部を前記当接面に対して表側から締結固定することが可能なように構成されたことを特徴とする。
【０００８】
好ましくは、前記締結具によって、前記係合部が、前記フランジ部と共締め状態で前記当接面に対して締結固定される（請求項２）。
【０００９】
好ましくは、前記変位部材は、前記スピーカ取り付け部における、前記当接面に対して表側に一段下がった取り付け面（３８）に取り付けられ、該取り付け面は、前記当接面に当接している前記スピーカの前記フランジ部の表側面（１２ａ）と面一である（請求項３）。
【００１０】
上記目的を達成するために本発明の請求項４のスピーカ保持構造は、スピーカ取り付け部（３４）に設けられた表側に開口した取り付け穴（５４）にスピーカ（Ｗｏ）が表側から挿入されて表側を向くように配設されるスピーカ保持構造であって、係合部（２０ｂ、２４）を有し、少なくとも該係合部が水平方向に沿って変位可能なように、前記スピーカ取り付け部に取り付けられた変位部材（２０）を有し、前記スピーカ取り付け部における前記取り付け穴に前記スピーカが挿入され且つ前記スピーカ取り付け部の当接部（３９）に前記スピーカの被当接部（１２）が表側から当接した状態で、前記変位部材は、底面視において、前記係合部が前記スピーカに対して干渉する姿勢と前記変位部材のいずれの部分も前記スピーカに対して干渉しない姿勢とに変位可能であり、前記スピーカ取り付け部の前記当接部に前記スピーカの前記被当接部が当接した状態で、前記変位部材の前記係合部が前記スピーカに対して干渉する姿勢にされると、前記スピーカが前記係合部によって表側から支持されることで、前記スピーカが前記取り付け穴から抜け落ちないように構成され、さらに、この状態のまま、付勢機構（２４、２５）によって前記変位部材の少なくとも前記係合部を前記上方に付勢する状態を維持することで、前記スピーカが前記スピーカ取り付け部に対して固定状態となるように構成されたことを特徴とする。
【００１１】
好ましくは、前記付勢機構は、前記変位部材自身に備えられ、前記変位部材を前記干渉しない姿勢から前記干渉する姿勢へと変位させることで、前記スピーカが前記係合部によって上方に自動的に押圧される（請求項５）。
【００１２】
好ましくは、放音穴（４３ｂ）を有するスピーカカバー（４３）が、前記スピーカ及び前記変位部材を表側から覆うように、前記スピーカ取り付け部に取り付け可能に構成される（請求項６）。
【００１３】
なお、上記括弧内の符号は例示である。
【発明の効果】
【００１４】
本発明の請求項１によれば、スピーカの固定のための締結や締結解除の作業を行う際、スピーカを手で支えながら行う必要がなく、スピーカの着脱作業を容易にすることができる。
【００１５】
請求項２によれば、装置の使用により変位部材の姿勢が変化することがなく、状態を安定させることができる。
【００１６】
請求項３によれば、変位部材の姿勢を円滑に変えられる。
【００１７】
本発明の請求項４によれば、ネジ等を要することなくスピーカを固定状態にすることを可能にして、スピーカの着脱作業を容易にすることができる。
【００１８】
請求項５によれば、簡単な操作でスピーカを保持することができる。
【００１９】
請求項６によれば、スピーカ及び変位部材を保護すると共に、外観を向上させることができる。
【発明を実施するための最良の形態】
【００２０】
以下、本発明の実施の形態を図面を参照して説明する。
【００２１】
図１は、本発明の一実施の形態に係るスピーカ保持構造が適用される電子鍵盤楽器の縦断面図である。
【００２２】
図１において、電子鍵盤楽器１００は、不図示の屋根板が取り外され、鍵盤部ＫＢを覆うための鍵盤蓋が開けられた状態が示されている。図１では、スピーカ保持構造に関係のない部分において、一部の構成要素の図示が省略されている。
【００２３】
以降、上下方向については、電子鍵盤楽器１００が床面に載置されて演奏使用される状態を基準とし、左右方向については、奏者からみた方向を基準とする。前後方向については、楽器本体３０からみて奏者側（図１の左方）が前側とする。
【００２４】
電子鍵盤楽器１００は、グランドピアノ型に構成され、楽器本体３０が３本の脚部によって支持される。楽器本体３０は、左右の側板３１と、側板３１の各後部を繋ぐ湾曲した形状の背板３２とで周囲が囲まれている。
【００２５】
前側棚板３３と、それより後方の後側棚板３４とが楽器本体３０の底部を成している。楽器本体３０の主として後半部に、スピーカボックス５０が配設される。後側棚板３４が、スピーカボックス５０の底部を兼ねていて、スピーカ取り付け部を提供する。スピーカボックス５０の筐体は、後側棚板３４の一部のほか、上板５２及び周壁５３で構成される。
【００２６】
後側棚板３４のうちスピーカボックス５０の下部に相当する部分には、低音域用のスピーカであるウーハＷｏが、後側棚板３４にとっての表側である下方に向けて配設されている。一方、スピーカボックス５０の上部（主に上板５２）には、ウーハＷｏに対応して、中音域用のスピーカであるスコーカＳｑ及び高音域用のスピーカであるツィータＴｗが、それぞれ上方に向けて配設されている。ウーハＷｏ、スコーカＳｑ、ツィータＴｗは４組設けられるが、４組に限定されない。
【００２７】
図２（ａ）は、図２（ｂ）のＡ−Ａ線に沿い、ウーハＷｏの取り付け部分の構成を示す断面図である。図２（ｂ）は、ウーハＷｏの取り付け部分の底面図である。
【００２８】
本発明のスピーカ保持構造は、本実施の形態ではウーハＷｏの取り付けに関して適用される。ただし、下向き、斜め下向きまたは垂直に配設されるスピーカであればウーハＷｏに限らず本発明を適用するのが有用である。従って、本実施の形態で例示するのは、ウーハＷｏが向く側を表側と称した場合に、表側が下側であるとした例であるが、スピーカの配設角度によっては、表側が斜め下側であったり、側方であったりする。いずれのウーハＷｏについても、取り付け部分の構成は同じである。
【００２９】
図２（ａ）に示すように、後側棚板３４には、下方に開口したスピーカ取り付け穴５４が形成される。ウーハＷｏは、スピ−カ駆動部１１を有し、スピーカ取り付け穴５４に下方から挿入されてスピ−カ駆動部１１が完全に埋没すると共に、スピーカコーン１３が下方を向くように配設される。そして、スピーカカバー４３が下方からウーハＷｏに被せられる。
【００３０】
図２（ａ）、（ｂ）に示すように、配設状態のウーハＷｏの下部において、円形のスピーカコーン１３の周り（ウーハＷｏの半径方向外側）には、フランジ部１２が形成されている。フランジ部１２は、ウーハＷｏの本体全体に対して固定的な部分である。後側棚板３４に取り付けられた２つの変位部材２０によってフランジ部１２が下方から支持されると、ウーハＷｏがスピーカ取り付け穴５４から抜け落ちない。
【００３１】
図３（ａ）は、図２（ｂ）のＡ−Ａ線に沿う、変位部材２０の周りの拡大断面図である。図３（ｂ）、（ｃ）は、変位部材２０近傍の底面図であり、図３（ｂ）、（ｃ）が、ロック状態、ロック解除状態の変位部材２０をそれぞれ示す。図３（ａ）〜（ｃ）では、代表として、図２（ｂ）における左側の変位部材２０の構成を示すが、右側の変位部材２０及び関連部分の構成は、左側のものと左右対称で同様の構成である。
【００３２】
図３（ａ）〜（ｃ）に示すように、後側棚板３４には、スピーカ取り付け部として、スピーカ取り付け穴５４の周りの下面である環状のフランジ当接面３９が形成され、また、フランジ当接面３９の半径方向外側において、後側棚板３４には、切り欠き部３６が２箇所に形成される（図２（ｂ）も参照）。これら切り欠き部３６によって、フランジ当接面３９に対して下方に一段下がった底面視弧状の取り付け面３８が２箇所に形成される。取り付け面３８は、後側棚板３４の下面よりも一段奥まっている。さらに、後側棚板３４には、切り欠き部３６よりも半径方向外側において、環状溝３７が形成されている。
【００３３】
フランジ部１２には、フランジ当接面３９に固定されるための締結穴１４が、円周方向において８箇所に形成されている（図２（ｂ）、図３（ｂ）、（ｃ）参照）。図２（ａ）、（ｂ）、図３（ａ）に示すように、フランジ当接面３９には、フランジ部１２を固定するためのネジ穴４０が、締結穴１４に対応して形成されている。フランジ当接面３９にフランジ部１２が当接した状態で、各締結穴１４を介して各ネジ穴４０にネジ１５が螺合されることで、ウーハＷｏが後側棚板３４に対して締結固定される。
【００３４】
図３（ａ）〜（ｃ）に示すように、変位部材２０は、取り付け面３８に取り付けられる。変位部材２０は、金属等の丈夫な素材で平板状に構成される。変位部材２０は、一端部である基部２０ａと、基部２０ａの反対側の端部である係合部２０ｂとを有する。係合部２０ｂの先端は二股状に切り欠かれて、凹部２２が形成されている。変位部材２０は、取り付け面３８と平行に、取り付け面３８に接して配設される。取り付け面３８には、ネジ穴４１が形成されている（図２（ａ）、図３（ａ）参照）。ネジ２３が下方から変位部材２０の基部２０ａを貫通してネジ穴４１に螺合され、ネジ２３を中心に係合部２０ｂが回動自在にされている。
【００３５】
ネジ２３は、基部２０ａを完全固定せずに回動自在にするような深さで螺合される構成であればよく、例えば、特殊ネジが採用される。あるいは、ネジ穴４１を貫通穴に代え、後側棚板３４の上面側にダブルナットを設けて、ネジ２３の頭部が基部２０ａを押さえすぎないような位置でネジ２３が止まるように構成してもよい。
【００３６】
ところで、ウーハＷｏのフランジ部１２がフランジ当接面３９に当接した状態では、フランジ部１２の下面１２ａと取り付け面３８とは面一になっている（図３（ａ）参照）。ネジ２３によって回動自在に支持された変位部材２０は、回動操作することで係合部２０ｂが水平方向に沿って変位し、図３（ｂ）に示すロック状態と図３（ｃ）に示すロック解除状態とに姿勢を変化させることができる。その際、フランジ部１２の下面１２ａと取り付け面３８とが面一であるので、円滑に姿勢を変えられる。また、変位部材２０の上面形状については一様な平坦面を採用でき、変位部材２０の構成を簡単にすることができる。
【００３７】
変位部材２０を、ロック解除状態からロック状態までの約９０度の角度を回動させる行程の途中から、主に係合部２０ｂが取り付け面３８を超えてフランジ当接面３９の側までせり出す。従って、ロック状態では、フランジ当接面３９に当接しているフランジ部１２の下面１２ａに当接し、フランジ部１２を支持する。
【００３８】
ただし、本実施の形態では、ロック状態といっても、仮支持状態であって、本格的な締結固定は、ネジ１５によってなされる。ネジ１５は、締結穴１４を介してネジ穴４０に螺合されるが、変位部材２０に対応している２箇所の締結穴１４については、係合部２０ｂの凹部２２（の周りの肉部）を通じて螺合される。従って、係合部２０ｂがフランジ部１２と共締め状態でフランジ当接面３９に対して締結固定される。係合部２０ｂが共締め状態とされることで、電子鍵盤楽器１００の使用により変位部材２０の姿勢が変化することがなく、状態を安定させることができる。なお、フランジ部１２を締結する締結具としてのネジ１５は例示であり、他の種類の締結具を採用してもよい。
【００３９】
一方、ロック解除状態（図３（ｃ））では、変位部材２０は、全体が取り付け面３８の範囲に収まり、底面視においてフランジ部１２はもとよりウーハＷｏ自体に干渉することがない。
【００４０】
スピーカカバー４３は、上方に屈曲して延出した周縁部４３ａが、後側棚板３４の環状溝３７に嵌合されている。ただし、周縁部４３ａの先端が、環状溝３７の奥側（上端）いっぱいまで届いている必要はない。スピーカカバー４３には、ウーハＷｏから発する音を通過させるための小さな放音穴４３ｂが多数形成されている（図２（ｂ）参照）。
【００４１】
図２（ｂ）に示すように、スピーカカバー４３の周縁部４３ａの近傍には、円周方向における４箇所に大穴と小穴が連続したひょうたん型の締結穴４４が形成されている。一方、後側棚板３４における、フランジ当接面３９よりも半径方向外側の下面３４ａには、締結穴４４に対応して４箇所にネジ４５が取り付けられている。ネジ４５の頭部の直径に比し、締結穴４４の大穴は大きく、小穴は小さい。
【００４２】
仮締め状態のネジ４５が、締結穴４４の大穴を貫通するようにスピーカカバー４３を下方から被せ、スピーカカバー４３を図２（ｂ）の時計方向に少し回転させて、締結穴４４の小穴をネジ４５の位置に一致させる。この状態で、ネジ４５を本締めすることで、スピーカカバー４３が後側棚板３４に固定される。
【００４３】
スピーカカバー４３は、ウーハＷｏだけでなく、後側棚板３４の取り付け面３８や変位部材２０もすっぽりと覆うため、これらを保護できると共に、外観を向上させる。しかも、放音穴４３ｂ付きであるので、放音性能が確保される。
【００４４】
かかる構成において、ウーハＷｏは次のようにして着脱される。
【００４５】
ウーハＷｏを装着するには、まず、変位部材２０をロック解除状態としておく（図３（ｃ））。そして、後側棚板３４のスピーカ取り付け穴５４に、スピーカコーン１３が下向きとなるようにウーハＷｏを下方から挿入し、フランジ当接面３９にフランジ部１２を当接させた状態を維持する。この状態の維持は片手で行うことができる。そして、この状態で、変位部材２０を操作し、ロック状態（図３（ｂ））となるまで水平方向に変位させる。すると、２つの変位部材２０によってウーハＷｏが仮支持されるので、手を離しても、ウーハＷｏが落下することがない。
【００４６】
次に、８箇所において、フランジ部１２の締結穴１４を介してネジ穴４０にネジ１５（図２（ｂ）参照）を螺合する。特に、変位部材２０に対応する箇所では係合部２０ｂの凹部２２の周りの肉部も介在させて共締め状態とする。これらにより、ウーハＷｏが後側棚板３４に対して固定される。なお、締結穴１４の数は８個に限定されない。
【００４７】
次に、仮締め状態のネジ４５（図２（ｂ））が、スピーカカバー４３の締結穴４４の大穴を貫通するようにスピーカカバー４３を下方から被せると、スピーカカバー４３の周縁部４３ａが、後側棚板３４の環状溝３７にほぼ嵌合される。そして、スピーカカバー４３の締結穴４４の小穴をネジ４５の位置に一致させ、ネジ４５を螺合することで、スピーカカバー４３を後側棚板３４に固定する。
【００４８】
一方、ウーハＷｏを取り外すには、まず、ネジ４５（図２（ｂ））を緩めてスピーカカバー４３を反時計方向に回転させて取り外す。次に、８箇所のネジ１５を取り外した後、ウーハＷｏを手等で支えつつ、変位部材２０を操作してロック解除状態まで変位させる。すると、ウーハＷｏをスピーカ取り付け穴５４から自重で簡単に抜くことができる。
【００４９】
本実施の形態によれば、フランジ当接面３９にウーハＷｏのフランジ部１２を当接させた状態で、変位部材２０をロック状態に変位させると、ウーハＷｏが仮支持され、スピーカ取り付け穴５４から抜け落ちない。そのため、ウーハＷｏの固定のためのネジ１５の螺合や取り外しの作業の際に、ウーハＷｏを手で支えながら行う必要がなく、ウーハＷｏの着脱作業を容易に行うことができる。
【００５０】
ところで、本実施の形態では、変位部材２０をロック状態にした後にネジ１５で本格的にフランジ部１２を締結する構成を示した。しかし、図４、図５に変形例を示すように、変位部材２０をロック状態にすることで、自動的に押圧力や付勢力が働いて、ネジ止めなしでフランジ部１２を後側棚板３４に対して固定状態にできる構成を採用してもよい。
【００５１】
また、本実施の形態では、変位部材２０は、回動変位する構成であったが、図５に変形例を示すように、水平方向に沿った直線的変位をするように構成してもよい。すなわち、変位部材２０は、少なくとも係合部２０ｂが水平方向に変位し、底面視において、一部分である係合部２０ｂがウーハＷｏの一部分に対して干渉する姿勢と変位部材２０のいずれの部分もウーハＷｏに対して干渉しない姿勢とに変位可能な構成であればよい。以下、変形例を説明する。
【００５２】
図４（ａ）は、第１変形例の変位部材２０を採用したスピーカ保持構造における、変位部材２０近傍の底面図であり、ロック解除状態を実線、ロック状態を仮想線でそれぞれ示している。図４（ｂ）は、ロック状態の第１変形例の変位部材２０の周りの図４（ａ）のＢ−Ｂ線に沿う断面図である。
【００５３】
図４（ａ）、（ｂ）に示すように、この変位部材２０は、基部２０ａの途中から、先端部２０ｃに向けて弾性片２４が一体に、片持ち状に延設形成されている。変位部材２０は、自由状態においては、弾性片２４の先端の突部２４ａが、変位部材２０の上面よりも上方に突出するようになっている。一方、ウーハＷｏのフランジ部１２には、締結穴１４は設けられておらず、代わりに、変位部材２０に対応する２箇所に、上方に凹の凹穴１６が形成されている。その他の構成は図１〜図３の例と同様である。
【００５４】
かかる構成において、変位部材２０は、ロック解除状態では、底面視においてフランジ部１２とは干渉していない（図４（ａ）の実線）。そして、変位部材２０を回動操作してロック状態にすると、フランジ部１２の凹穴１６に弾性片２４の突部２４ａが嵌り込み（図４（ｂ）参照）、フランジ部１２を上方に押圧する状態となる。
【００５５】
従って、フランジ当接面３９にフランジ部１２を当接させた状態で、変位部材２０をロック状態に変位させるだけで、ウーハＷｏがスピーカ取り付け穴５４（図２（ａ）参照）から抜け落ちないように支持される。しかも、弾性片２４が付勢機構として機能して、フランジ部１２を上方に付勢する状態が維持される。これにて、ウーハＷｏが後側棚板３４に対して固定状態となる。よって、ネジ等を要さずにウーハＷｏの保持固定を可能にして、ウーハＷｏの着脱作業を容易にすることができる。
【００５６】
ところで、第１変形例の変位部材２０において、図４（ｃ）に第１変形例にさらなる改変を加えた変位部材２０の斜視図を示したように、先端部２０ｃの下面に突起２８を設けてもよい。この突起２８は、先端部２０ｃの変位方向に沿って緩やかな曲線を描いて突出している。フランジ部１２の下面１２ａと取り付け面３８とは面一であるが、突起２８を設けることで、両者の境目を通過する際に動作が一層円滑となり、両者の縁に傷を付けるおそれが少なくなる。このような構成は、図１〜３に例示した変位部材２０にも適用可能である。
【００５７】
図５（ａ）は、第２変形例の変位部材２０を採用したスピーカ保持構造における、変位部材２０近傍の底面図である。図５（ｂ）は、第２変形例の変位部材２０の周りの図５（ａ）のＣ−Ｃ線に沿う断面図である。図５（ａ）、（ｂ）において、ロック解除状態を実線、ロック状態を仮想線でそれぞれ示している。
【００５８】
図５（ａ）、（ｂ）に示すように、この変位部材２０には、ウーハＷｏの半径方向に平行なスリット２７が２本形成されている。各スリット２７を貫通して、各２つのネジ２６が後側棚板３４の取り付け面３８に螺合されている。ネジ２６は、ネジ２３（図３（ｂ）参照）と同様に、変位部材２０を完全固定するものではなく、スリット２７の延設方向に沿って変位部材２０をスライド移動自在にする。ただし、変位部材２０が一定以上に下方に変位することを規制する。
【００５９】
なお、４つのネジ２６に代えて、取り付け面３８の側（裏側）に開口した断面コ字状の部材を用いてもよい。変位部材２０をスライド操作する際には、係合部２０ｂの下面側に垂下して形成された操作突起２０ｂ１を操作する。
【００６０】
また、変位部材２０の係合部２０ｂの上面側は、ウーハＷｏの半径方向内側にいくほど下方に傾斜したテーパ面２５となっている（図５（ｂ）参照）。一方、ウーハＷｏのフランジ部１２には、締結穴１４は設けられておらず、代わりに、変位部材２０に対応する２箇所に、下方に凸の突起部１２ｂがフランジ部１２に一体に形成されている。なお、突起部１２ｂは、丸釘のような圧入部品を別体構成で設け、後付けによってフランジ部１２に圧入固定してもよい。フランジ部１２を金属製とする場合は、プレス加工にて下方にへこますことで突起部１２ｂを突出形成してもよい。突起部１２ｂは、少なくともウーハＷｏの半径方向に沿って緩やかな曲線を描いて突出している。その他の構成は図１〜図３の例と同様である。
【００６１】
かかる構成において、変位部材２０は、ロック解除状態では、底面視においてフランジ部１２とは干渉していない（図５（ａ）の実線）。そして、変位部材２０をスライド操作してロック状態に近づけていくと、やがて、係合部２０ｂのテーパ面２５が、突起部１２ｂに当接する。そして、ロック状態にまで変位させると、楔を打ち込んだときの押圧作用である楔効果により、テーパ面２５が突起部１２ｂを上方に押圧する状態となる。
【００６２】
従って、フランジ当接面３９にフランジ部１２を当接させた状態で、変位部材２０をロック状態に変位させるだけで、ウーハＷｏがスピーカ取り付け穴５４（図２（ａ）参照）から抜け落ちないように支持される。しかも、テーパ面２５が付勢機構として機能して、フランジ部１２を上方に付勢する状態が維持される。これにて、ウーハＷｏが後側棚板３４に対して固定状態となる。よって、第１変形例と同様に、ネジ等が不要でウーハＷｏの保持を可能にして、ウーハＷｏの着脱作業を容易にすることができる。
【００６３】
なお、図５（ｃ）に、上記第２変形例の変位部材２０に改良を加えた第３変形例の変位部材２０を示すように、係合部２０ｂから基部２０ａまでの途中まではテーパ面２５とし、それより基部２０ａ側の面は、取り付け面３８に平行な平坦面２９としてもよい。上記第２変形例では、テーパ面２５による楔効果がある反面、そのような機構特有の、変位部材２０がロック状態から戻ろうとする戻り現象が生じるため、付勢力が減少するおそれがある。これに対し、ロック状態において、テーパ面２５に連続して設けた平坦面２９で突起部１２ｂを押圧するようにすることで、戻り現象がなく、平坦面２９が突起部１２ｂを押圧した状態が安定する。しかも、ウーハＷｏが振動しても、振動により押圧状態が緩むことが回避される。
【００６４】
なお、図４または図５の構成を採用してネジ止め不要にした場合には、ウーハＷｏが後側棚板３４に対して当接する箇所（被当接部）は、フランジ部１２に限られず、後側棚板３４の一部（当接部）に対して下側から当接する部分であればよい。
【００６５】
ところで、図４または図５の構成を採用した場合であっても、ネジ１５（図２（ｂ））による締結を併せて行うようにしてもよい。
【００６６】
なお、弾性片２４を有した第１変形例（図４）に示す変位部材２０において、変位方向を、図５の例のように、ウーハＷｏの半径方向に沿う直線変位となるように構成してもよい。また、これとは逆に、テーパ面２５を有した第２変形例（図５）に示す変位部材２０を、図４の例のように、回動変位をするように構成してもよい。
【００６７】
なお、第１、第２変形例の変位部材２０において、フランジ部１２を上方に付勢する付勢機構は、変位部材２０自身に設けられるとしたが、変位部材２０とは別個に構成されるものであってもよい。
【００６８】
また、図１〜図３の構成において、ネジ２３に通常のネジを採用し、変位部材２０をロック状態とした後にネジ２３を増し締めすることで、変位部材２０に、フランジ部１２の仮支持ではなく本支持の機能を果たさせるように構成してもよい。その場合、例えば、変位部材２０の上面のうち、少なくとも係合部２０ｂを、ロック状態におけるフランジ部１２に干渉しない部分よりも高く形成する。そして、ネジ２３を、変位部材２０のロック解除状態では仮締め状態にすることで変位部材２０を回動変位自在にすると共に、変位部材２０をロック状態としてから増し締めすることで、フランジ部１２に対して上方への押圧力を発生させる。
【００６９】
なお、第１、第２変形例を含む上記実施の形態において、変位部材２０の数は２つに限られず、１つでもよいし、３つ以上でもよい。また、フランジ部１２を支持乃至押圧する部分（係合部２０ｂ、係合部２０ｂのテーパ面２５、弾性片２４の突部２４ａ）は、必ずしも変位部材２０の先端である必要はなく、変位する一部分であればよい。
【００７０】
なお、本発明のスピーカ保持構造は、電子鍵盤楽器に限られず、スピーカを有する各種の電子機器に適用可能である。
【図面の簡単な説明】
【００７１】
【図１】本発明の一実施の形態に係るスピーカ保持構造が適用される電子鍵盤楽器の縦断面図である。
【図２】図２（ｂ）のＡ−Ａ線に沿い、ウーハの取り付け部分の構成を示す断面図（図（ａ））、ウーハの取り付け部分の底面図（図（ｂ））である。
【図３】図２（ｂ）のＡ−Ａ線に沿う、変位部材の周りの拡大断面図（図（ａ））、変位部材近傍の底面図（図（ｂ）、（ｃ））である。
【図４】第１変形例の変位部材を採用したスピーカ保持構造における、変位部材近傍の底面図（図（ａ））、ロック状態の第１変形例の変位部材の周りの図４（ａ）のＢ−Ｂ線に沿う断面図（図（ｂ））、第１変形例にさらなる改変を加えた変位部材の斜視図（図（ｃ））である。
【図５】第２変形例の変位部材を採用したスピーカ保持構造における、変位部材２０近傍の底面図（図（ａ））、同変位部材の周りの図５（ａ）のＣ−Ｃ線に沿う断面図（図（ｂ））、第３変形例の変位部材の周りの断面図（図（ｃ））である。
【符号の説明】
【００７２】
１２  フランジ部（被当接部）、  １２ａ  下面（表側面）、  １２ｂ  突起部、  １５  ネジ（締結具）、  １６  凹穴、  ２０  変位部材、  ２０ｂ  係合部、  ２４  弾性片（係合部、付勢機構）、  ２５  テーパ面（付勢機構）、  ３４  後側棚板（スピーカ取り付け部）、  ３８  取り付け面、  ３９  フランジ当接面（当接面、当接部）、  ４３  スピーカカバー、  ４３ｂ  放音穴、  ５４  スピーカ取り付け穴（取り付け穴）、  Ｗｏ  ウーハ（スピーカ）
【図１】
2010154240.tif 000003
【図２】
2010154240.tif 000004
【図３】
2010154240.tif 000005
【図４】
2010154240.tif 000006
【図５】
2010154240.tif 000007